(57)【要約】【課題】複数の通信用回線を収容可能な主装置部に対して無線接続されて通信を行なうものであって、電池により駆動される無線通信端末として、消費電力が少なく、かつ、多回線化への制約が少ないものを提供する。【解決手段】複数の通信用回線のそれぞれに対応する複数個のシンボルを表示画面に表示する表示手段と、主装置部から複数の通信用回線の状態の変化に関する情報を受信して解析し、複数の通信用回線のうち、状態の変化があった通信用回線を知ると共に、変化後の状態を検知し、その検知結果に基づいて、回線状態記憶保持手段３２４に記憶保持されている回線状態を更新する手段を備える。選択操作手段３１７により表示画面に表示されているシンボルが選択されたときに、回線状態記憶保持手段３２４に記憶されている回線状態の情報に基づいて、シンボルのそれぞれに対応する通信用回線の回線状態を詳細表示する。【選択図】図４
2006270480.tif 000002
【特許請求の範囲】
【請求項１】
複数の通信用回線を収容可能な主装置部に対して無線接続されて通信を行なうものであって、電池により駆動される無線通信端末において、
前記複数の通信用回線のそれぞれに対応する複数個のシンボルを表示画面に表示する表示手段と、
前記表示画面に表示されている前記複数個のシンボルのそれぞれに対応して、それぞれの回線状態を記憶保持する回線状態記憶保持手段と、
前記主装置部から複数の通信用回線の状態の変化に関する情報を受信して解析し、前記複数の通信用回線のうち、状態の変化があった通信用回線を知ると共に、変化後の状態を検知し、その検知結果に基づいて、前記回線状態記憶保持手段に記憶保持されている前記回線状態を更新する手段と、
前記表示画面上の前記複数個のシンボルからユーザが希望するシンボルを選択するようにするための選択操作手段と、
前記選択操作手段で前記シンボルが選択されたときに、前記回線状態記憶保持手段に記憶されている回線状態の情報に基づいて、前記シンボルのそれぞれに対応する前記通信用回線の回線状態を詳細表示するようにする制御手段と、
を備える無線通信端末。
【請求項２】
請求項１に記載の無線通信端末において、
前記選択操作手段は、前記複数個のシンボルのついて、そのうちの複数個のシンボルのグループ単位で選択することが可能であり、
前記制御手段は、前記グループ単位で、前記複数個のシンボルが選択されたときには、前記グループに含まれる各シンボルについての回線状態の詳細情報を一覧表示する
ことを特徴とする無線通信端末。
【請求項３】
請求項２に記載の無線通信端末において、
前記回線状態の詳細情報が一覧表示される表示画面において、前記一覧表示のうちから一の回線状態が選択されたときに、前記一の回線状態に対応する前記通信用回線の選択状態とする手段を備える
ことを特徴とする無線通信端末。
【発明の詳細な説明】
【技術分野】
【０００１】
この発明は、例えば、いわゆるビジネスホンの電話端末に適用して好適なものであり、特に、無線ＬＡＮを用いて主装置部と無線接続される無線通信端末に関する。
【背景技術】
【０００２】
ビジネスホンとしてボタン電話システムが普及している。このボタン電話システムに用いられているボタン電話端末は、一般に、ダイヤル用のテンキーの他、主装置部が収容する複数の電話回線のそれぞれに対応して設定される複数個の外線キーや、各種機能などを自由に設定可能な複数個の機能キーなどの複数個の操作キー（以下、この操作キーをフレキシブルキーという）を備える。
【０００３】
そして、ボタン電話端末においては、フレキシブルキーの内部にＬＥＤ（Ｌｉｇｈｔ  Ｅｍｉｔｔｉｎｇ  Ｄｉｏｄｅ；発光ダイオード）をそれぞれ備えた自照式としたり、それぞれのフレキシブルキーの近傍にＬＥＤを配置したりして、その使用状態を、ＬＥＤの点灯、消灯、点滅、発光色などにより、区別して表示するようにしている。
【０００４】
例えば、外線が設定されたフレキシブルキー（外線ボタン）の場合であれば、対応する電話回線の使用中、空き、保留中、着信中などの回線状態を、ＬＥＤの点灯、消灯、点滅、発光色などにより、区別して表示することにより、これらの外線ボタンを操作して、対応する電話回線の捕捉などをするユーザのサポートをするようにしている（例えば特許文献１（特開昭６４−８２７３２号公報）、特許文献２（特開昭６３−２４２０９６号公報）、特許文献３（特開平５−２２７２６３号公報）等参照）。
【０００５】
上記の特許文献は、次の通りである。
【特許文献１】特開昭６４−８２７３２号公報
【特許文献２】特開昭６３−２４２０９６号公報
【特許文献３】特開平５−２２７２６３号公報
【発明の開示】
【発明が解決しようとする課題】
【０００６】
ところで、無線ＬＡＮ（Ｌｏｃａｌ  Ａｒｅａ  Ｎｅｔｗｏｒｋ）を利用して、上述のようなビジネスホンシステムを構築する試みがなされている。この無線ＬＡＮを利用するビジネスホンで用いる無線電話端末としての無線通信端末は、電池で動作するものとなるが、この無線電話端末に、従来と同様にして複数のフレキシブルキーおよびＬＥＤを設けると、次のような問題が生じる。
【０００７】
ＬＥＤの消費電力は比較的大きく、複数個のフレキシブルキーに対応して複数個を設けると、その数だけ消費電力が増加し、電池の消耗が大きく、長時間待機することができない。特に、フレキシブルキーが外線ボタンの場合、一般に、他の端末が使用中であることは、ＬＥＤの点灯により表示するようにしており、自端末が使用されていなくても、他の端末が使用されることで、ＬＥＤが点灯し、電力を消費してしまうので、充電なしで使用可能な時間が非常に短くなってしまうという問題がある。
【０００８】
前述の特許文献３の場合には、何等かのトリガーによりＬＥＤを点灯表示させ、一定時間経過後に消灯することで、消費電力の低減を図る方法が示されている。この特許文献３の方法を適用すれば、無線電話端末を使用しないときはＬＥＤを消灯して電力を無駄に消費しないようにすることできる。
【０００９】
しかしながら、特許文献３の方法では、実際に使用するときには、何か操作し、通信をすることで、最新の回線状態等を得て更新しないと、そのときの実際の回線状態等が確認できないという問題がある。このため、外線ボタンに対応する他端末の使用表示が正しく行なわれておらず、使用しようと思った外線ボタンを押したら、他端末により使用中であったという事態が発生するおそれがある。
【００１０】
また、無線電話端末は、小型軽量が要求されるため、収容回線数が多くなったり、設定機能を多くしたりしたとき、要求される数のフレキシブルキーを、無線電話端末のパネル面に設置しきれなくなり、ビジネスホンの収容回線数や機能が制限されてしまうという問題もある。
【００１１】
以上のことにかんがみ、この発明は、複数の通信用回線を収容可能な主装置部に対して無線接続されて通信を行なうものであって、電池により駆動される無線通信端末として、消費電力が少なく、かつ、多回線化への制約が少ないものを提供することを目的とする。
【課題を解決するための手段】
【００１２】
上記の課題を解決するために、この発明による無線通信端末は、
複数の通信用回線を収容可能な主装置部に対して無線接続されて通信を行なうものであって、電池により駆動される無線通信端末において、
前記複数の通信用回線のそれぞれに対応する複数個のシンボルを表示画面に表示する表示手段と、
前記表示画面に表示されている前記複数個のシンボルのそれぞれに対応して、それぞれの回線状態を記憶保持する回線状態記憶保持手段と、
前記主装置部から複数の通信用回線の状態の変化に関する情報を受信して解析し、前記複数の通信用回線のうち、状態の変化があった通信用回線を知ると共に、変化後の状態を検知し、その検知結果に基づいて、前記回線状態記憶保持手段に記憶保持されている前記回線状態を更新する手段と、
前記表示画面上の前記複数個のシンボルからユーザが希望するシンボルを選択するようにするための選択操作手段と、
前記選択操作手段で前記シンボルが選択されたときに、前記回線状態記憶保持手段に記憶されている回線状態の情報に基づいて、前記シンボルのそれぞれに対応する前記通信用回線の回線状態を詳細表示するようにする制御手段と、
を備えることを特徴とする。
【００１３】
上述の構成のこの発明によれば、例えばＬＣＤなどの表示手段の表示画面に、複数の通信用回線のそれぞれに対応する複数個のシンボルが表示されると共に、当該表示されたシンボルを選択することにより、対応する回線の回線状態を詳細表示することができる。
【発明の効果】
【００１４】
この発明によれば、ＬＥＤは用いずに、ＬＣＤなどの低消費電力の表示手段に、回線を示すシンボルが表示されると共に、そのシンボルを選択することで、回線状態を容易に知ることができるので、消費電力を少なくして、充電無しで、長時間の使用が可能になる。また、回線数や機能が増加しても、表示手段に表示するシンボルを増加するだけで、容易に対応できる。この場合に、表示画面が小さくても、スクロール表示をすることできるので、多数のシンボルを設けることができる。
【発明を実施するための最良の形態】
【００１５】
以下、この発明による無線通信端末の実施形態を、ビジネスホンシステムに用いた場合を例に、図を参照しながら説明する。
【００１６】
図１は、この発明による無線通信端末の実施形態が用いられたビジネスホンシステムの全体の構成例を示すブロック図である。この例の無線ＬＡＮは、ＩＥＥＥ８０２．１１規格に準拠しており、通話音声情報や呼制御のための情報の他、全ての情報はパケット化されて送受される。この例においては、この発明による無線通信端末の実施形態は、パケット電話機として構成される。
【００１７】
この例のビジネスホンシステムは、主装置部１と、この主装置部１と無線ＬＡＮ３を通じて無線接続される複数個のパケット電話機２とから構成されている。
【００１８】
主装置部１は、無線ＬＡＮ用アクセスポイント装置１０（以下、単にアクセスポイント装置という）と、サーバ装置１２と、ゲートウエイ１３とを備えて構成されている。アクセスポイント装置１０は、有線ＬＡＮ１１を通じてサーバ装置１２に接続されている。
【００１９】
サーバ装置１２は、この例のビジネスホンシステムの場合には、電話通信中継交換装置の役割をもするものであり、ゲートウエイ１３を通じて外部ネットワーク、この例においては、公衆交換電話網（ＰＳＴＮ；Ｐｕｂｌｉｃ  Ｓｗｉｔｃｈｅｄ  Ｔｅｌｅｐｈｏｎｅ  Ｎｅｔｗｏｒｋ）１４にも接続される。なお、外部ネットワークには、インターネットをも含むものである。
【００２０】
この例においては、主装置部１は、電話通信用として、複数回線分を収容可能とされており、サーバ装置１２は、収容している電話通信用回線のそれぞれに識別情報（例えば回線番号）を付与して管理している。そして、例えば、ある回線に着信があると、サーバ装置１２は、当該着信があった回線の識別情報と共に、着信通知をアクセスポイント装置１０を通じてすべてのパケット電話機２に通知するようにする。
【００２１】
パケット電話機２は、着信通知に含まれる回線の識別情報から、いずれの回線に着信があったかを検出し、当該着信があった回線に対する着信通知表示を、後述するようにして行なう。
【００２２】
また、パケット電話機２からの主装置部１への回線捕捉要求には、当該回線捕捉要求する回線の識別情報が付加される。サーバ装置１２は、当該付加されている回線識別情報からいずれの回線への捕捉要求であるかを検出して、捕捉処理を行なう。
【００２３】
アクセスポイント装置１０に対しては、複数個のパケット電話機２のそれぞれに内蔵される無線ＬＡＮ用端末側ステーション装置部（以下、単にステーション装置部という）２０が、それぞれ無線リンクにより接続される。アクセスポイント装置１０と複数個のステーション装置部２０との間で形成される無線リンクは、無線ＬＡＮ３を構成する。
【００２４】
そして、この例では、各パケット電話機２においては、ステーション装置部２０は、電話機部３０に接続される。また、この例では、パケット電話機２は、電源として、例えば充電式のバッテリー４０を用いるものとして構成されており、省電力化のため、通信を行なっていないときには、スタンバイ状態を間に挟んで、一定周期で、間欠受信状態を繰り返すように構成されている。
【００２５】
サーバ装置１２は、無線ＬＡＮ３にステーション装置部２０を介して接続されるパケット電話機２のそれぞれについての、無線ＬＡＮ３上のアドレス情報を管理している。そして、サーバ装置１２は、無線ＬＡＮ３を通じた電話通信の通話路を管理する。例えば、サーバ装置１２は、外部ネットワーク４に接続された複数の電話用回線のそれぞれについて、当該電話用回線を通じた他の電話端末と、アクセスポイント装置１０、無線ＬＡＮ３を介したパケット電話機２との間の通話（外線通話）について、通信制御および管理する。
【００２６】
また、サーバ装置１２は、管理しているアドレス情報を用いて、複数台のパケット電話機２のいずれか一つのパケット電話機と、他の一つのパケット電話機２との間での、無線ＬＡＮ３およびサーバ装置１２を通じた内線通話についての通信制御および管理をも行なうようにしている。
【００２７】
サーバ装置１２は、例えば外部ネットワーク４を通じて、複数の電話用回線のいずれかに、相手方から着信があったときには、当該回線に着信があったことを知らせる着信通知のパケット（着信通知の情報と、当該着信のあった回線の識別情報を含む）を、マルチキャストによりアクセスポイント装置１０に送る。
【００２８】
アクセスポイント装置１０は、この例では、この着信通知のパケットは、重要パケットと判断して、その着信通知のパケットはユニキャストのパケットに変換し、無線ＬＡＮ３を通じて配下のパケット電話機２のステーション装置部２０の全てに送る。
【００２９】
ステーション装置部２０のそれぞれは、当該着信をパケット電話機２の電話機部３０に転送する。電話機部３０は、当該着信を、パケット電話機２のユーザに、例えばベル鳴動などにより通知すると共に、受け取った回線の識別情報に基づく、当該回線に着信があったことを後述するようにして表示してユーザに知らせる。
【００３０】
いずれかのパケット電話機２のユーザがこの着信に応答すると、その応答メッセージが、当該応答のあったパケット電話機２から、そのステーション装置部２０を通じ、無線ＬＡＮ３を通じてアクセスポイント装置１０に伝送される。
【００３１】
アクセスポイント装置１０は、この応答をサーバ装置１２に送り、サーバ装置１２は、この応答をゲートウエイ１３および着信があった電話用回線通じて外部ネットワーク４に送出し、相手方に通知する。これにより、無線ＬＡＮ３を通じた通話路が形成され、無線ＬＡＮ３を通じて音声パケットの伝送がなされて通話がなされる。
【００３２】
複数台のパケット電話機２のいずれかのユーザが、前記複数の電話用回線のいずれかを捕捉して発信の操作をした場合には、上述とは逆の経路で、発信の相手先に着信され、当該発信の相手先が応答すれば、無線ＬＡＮ３を通じた通話路が形成され、無線ＬＡＮ３を通じて音声パケットの伝送がなされて通話がなされる。
【００３３】
サーバ装置１２は、上述のようにして着信応答により生成された通話路や、発呼により生成された通話路を管理しており、無線ＬＡＮ３を通じて、当該通話路が生成されている電話用回線の状態情報を、パケット電話機２の全てに、回線状態の通知用パケットとして生成し、マルチキャストのパケットとしてアクセスポイント装置１０に送る。
【００３４】
アクセスポイント装置１０は、この例では、この回線状態の通知用パケット（着信通知のパケットを含む）を重要パケットと判断して、マルチキャストパケットとされている、その回線状態の通知用パケットをユニキャストパケットに変換し、無線ＬＡＮ３を通じて配下の全てのパケット電話機２に、そのステーション装置部２０を通じて送る。回線状態の通知用パケットを受け取った各パケット電話機２は、後述するように、当該通知用パケットを解析し、その解析結果に応じて後述するような、着信表示や当該通信用回線について他端末が外線使用中の表示などを行なってユーザに通知するようにする。
【００３５】
なお、通話音声のパケットは、特定の相手先を指定するパケットであり、ユニキャストパケットとされるものである。なお、マルチキャストで送られる情報は、上述のような着信パケットや、回線状態の通知用パケットだけではないことは言うまでもない。
【００３６】
この実施形態では、着信や外線使用中などの回線状態の通知用パケットなどのように、マルチキャストのパケットであっても、パケット電話機２に対して必ず到達させたいパケットは、重要パケットとして、他のマルチキャストのパケットとは区別するようにする。
【００３７】
そして、この実施形態では、マルチキャストパケットのうちの、重要でないものはそのままマルチキャストで無線ＬＡＮ３に送出するが、重要なものは、上述したように、アクセスポイント装置１０において、配下の全てのパケット電話機２のステーション装置部２０に宛てたユニキャストパケットに変換して、全てのパケット電話機２に確実に到達させるようにしている。
【００３８】
アクセスポイント装置１０は、サーバ装置１２と、パケット電話機２のステーション装置部２０との間におけるパケットの送受の中継を、主として行なうものであるが、この実施形態では、上述の点を実現するために、単に、パケットの送受の中継機能だけではなく、上述のマルチキャストパケットをユニキャストパケットに変換する機能のために、次のような、処理機能を備える。
【００３９】
すなわち、アクセスポイント装置１０は、パケットがマルチキャストパケットか、ユニキャストパケットかを識別する機能と、パケットの種別やパケットにより送受されるデータの種別などを判別する機能とを備えると共に、サーバ装置１２からマルチキャストのパケットを受け取ったときに、そのパケット種別あるいはデータ種別が、重要なものとして予め定められた特定の種別のパケットやデータのときには、サーバ装置１２から受け取ったマルチキャストのパケットを、ユニキャストのパケットに変換する機能を備えている。
【００４０】
アクセスポイント装置１０は、無線ＬＡＮ３を通じて接続される配下の複数のステーション装置部２０（延いては各パケット電話機２）のアドレスやポート番号を管理しており、マルチキャストのパケットをユニキャストのパケットに変換するときには、それらの管理データを用いて、管理している配下の全てのステーション装置部２０に対するユニキャストパケットを生成して、それらを配下の全てのステーション装置部２０に送るようにする。
【００４１】
なお、この実施形態では、パケット電話機２は間欠受信をするため、当該パケット電話機２がスタンバイ状態のときには、ユニキャストパケットに対する受信確認情報をアクセスポイント装置１０は得られず、当該ユニキャストパケットは、未送達のユニキャストパケットとなる。
【００４２】
この未送達のユニキャストパケットは、ＩＥＥＥ８０２．１１規格に準拠した未送達の通知方法を用いることにより、確実に宛先のパケット電話機２にステーション装置部２０を通じて送ることができる。
【００４３】
次に、この実施形態の無線ＬＡＮシステムを構成するアクセスポイント装置１０およびステーション装置部２０を含むパケット電話機２の詳細な構成例および動作例を説明する。
【００４４】
＜アクセスポイント装置１０のハードウエア構成＞
図２は、主装置部１のアクセスポイント装置１０のハードウエア構成例を示すブロック図である。
【００４５】
この例のアクセスポイント装置１０は、例えばマイクロコンピュータからなる制御部１０１と、有線ＬＡＮインターフェース（図ではインターフェースはＩ／Ｆと記載する。以下同じ）１０２と、送信用処理回路１０３と、受信用処理回路１０４と、送信アンプ１０５と、受信アンプ１０６と、アンテナ切換回路１０７と、送受信アンテナ１０８と、送受信アンテナ１０９とを備えて構成される。
【００４６】
有線ＬＡＮインターフェース１０２は、この例では、有線ＬＡＮ１１を通じてサーバ装置１２に接続されている。２個の送受信アンテナ１０８および１０９は、ダイバーシティアンテナを構成するもので、無線ＬＡＮ３を通じてのパケットの送受を行なうためのものである。
【００４７】
アクセスポイント装置１０では、有線ＬＡＮインターフェース１０２を通じて得たサーバ装置１２からの送信用パケットを、制御部１０１の制御に応じて送信用処理回路１０３およびアンプ１０５、また、アンテナ切換回路１０７を介して送受信アンテナ１０８または１０９の一方に供給して、ステーション装置部２０に対して無線送信する。
【００４８】
また、送受信アンテナ１０８または１０９の一方を通じて受信したステーション装置部２０からのパケットは、アンテナ切換回路１０７およびアンプ１０６を通じて受信用処理回路１０４に供給される。そして、受信用処理回路１０４からのパケットは、制御部１０１に供給される。制御部１０１は、受信したパケットを、有線ＬＡＮインターフェース１０２および有線ＬＡＮ１１を通じてサーバ装置１２に送出する。
【００４９】
制御部１０１は、マイクロコンピュータにより構成されるもので、例えば、図２に示すようなブロック構成とされる。すなわち、ＣＰＵ（Ｃｅｎｔｒａｌ  Ｐｒｏｃｅｓｓｉｎｇ  Ｕｎｉｔ）１１０に対して、システムバス１１１を介して、ＲＯＭ（Ｒｅａｄ  Ｏｎｌｙ  Ｍｅｍｏｒｙ）１１２と、ＲＡＭ（Ｒａｎｄｏｍ  Ａｃｃｅｓｓ  Ｍｅｍｏｒｙ）１１３と、パケット分解／生成部１１４と、無線端末情報管理部１１５と、受信バッファ１１６と、送信バッファ１１７と、ビーコン生成部１１８と、送信態様判別部１１９と、情報種別判別部１２０と、送信情報生成部１２１とが接続されている。
【００５０】
図２では、省略したが、有線ＬＡＮインターフェース１０２に接続されるポートや、送信用処理回路１０３、受信用処理回路１０４と制御情報や送受信情報のやり取りを行なうポートなども、制御部１０１は、備えるものである。
【００５１】
パケット分解／生成部１１４は、インターフェース１０２により取り込んだパケット化データを分解して、パケットヘッダを分離し、送信態様判別部１１９や情報種別判別部１２０に転送する機能と、送信するデータをパケット化して送出するパケットデータを生成する機能を有する。このパケット分解／生成部１１４は、パケットデータを分解したり、生成したりするためのバッファメモリを備える。
【００５２】
無線端末情報管理部１１５は、無線ＬＡＮ３を通じて接続される配下のパケット電話機２のステーション装置部２０のアドレス情報やポート番号を記憶して管理する。
【００５３】
受信バッファ１１６は、有線ＬＡＮインターフェース１０２を通じて受け取ったパケットデータや、無線ＬＡＮ３から受け取ったパケットデータを一時格納するためのものである。
【００５４】
送信バッファ１１７は、配下のパケット電話機２（ステーション装置部２０）のそれぞれについて、当該パケット電話機２に対して送出すべきパケットを待ち行列として順次に蓄積してゆく送信キューを備える。当該パケット電話機２に送られていない未送達のパケットが、それぞれの送信キューに登録される。
【００５５】
ビーコン生成部１１８は、主として、ステーション装置部２０がアクセスポイント装置１０をサーチし、自装置をアクセスポイント装置１０に登録するための等に用いられる特定の電波、すなわち、ビーコンを、一定周期、例えば１００ミリ秒周期で生成し、生成したビーコンをパケット分解／生成部１１４でパケット化して、無線ＬＡＮ３に送出するようにする。
【００５６】
そして、ビーコン生成部１１８は、送信バッファ１１７に未送達のパケットがあるときには、当該未送達のパケットがあるパケット電話機２のステーション装置部２０宛てに、未送達のパケットをあることを通知する情報を重畳したビーコンを生成する。ステーション装置部２０は、間欠受信において、当該ビーコンを受信することにより、自分宛ての未送達のパケットがあることが知る。
【００５７】
送信態様判別部１１９は、この例では、パケットヘッダに含まれるアドレス情報を識別して、パケットがマルチキャストか、ユニキャストかを判別する。すなわち、パケットヘッダのアドレス情報としては、ユニキャスト用のものと、マルチキャスト用のものとが予め定められており、例えばマルチキャスト用のアドレス情報が送信態様判別部１１９には記憶されている。したがって、送信態様判別部１１９は、パケットヘッダのアドレス情報を認識し、認識したアドレス情報と、記憶されているアドレス情報とを比較することにより、マルチッキャストのパケットかユニキャストのパケットかを認識することができる。
【００５８】
情報種別判別部１２０は、この例では、パケットヘッダに含まれるポート番号を認識することにより、データの種別あるいはパケットの種別を判別する。すなわち、ポート番号は、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）に準拠して定められるもので、音声情報、データ、制御情報などのデータに種別ごとに、あるいは、パケットの種別ごとに、別々のポート番号が割り当てられている。また、ユーザが、未定義のポート番号に、着信通知、他使用中や保留中などの回線状態の通知等のパケット種別やデータ種別を割り当てることもできるようにされている。
【００５９】
そこで、この実施形態の情報種別判別部１２０では、例えば、着信通知、他使用中や保留中などの回線状態の通知等などの重要なマルチキャストパケットの情報について、それらに割り当てられているポート番号を記憶しており、受信したマルチキャストパケットのパケットヘッダに含まれるポート番号を認識して、当該認識したポート番号と、記憶したポート番号とを比較することで、受信したマルチキャストパケットが、例えば着信通知のパケットや、回線状態の通知パケットなどの重要な情報パケットであるどうかを判別するようにする。
【００６０】
送信情報生成部１２１は、通常は、有線ＬＡＮインターフェース１０２を通じて受け取ったパケットを、送信情報として、そのまま用いるようにする。しかし、送信態様判別部１１９で、サーバ装置１２から有線ＬＡＮインターフェース１０２を通じて受け取ったパケットがマルチキャストパケットであり、かつ、この実施形態では、情報種別判別部１２０で、着信通知やランプ情報のような重要情報のパケットであると判別したときには、マルチキャストパケットをユニキャストパケットに変換して送出するようにする。
【００６１】
このとき、前述したように、送信情報生成部１２１は、１個のマルチキャストパケットに対して、無線端末情報管理部１１５を検索して、配下のパケット電話機２のステーション装置部２０の全てに対する複数個のユニキャストパケットを生成する。
【００６２】
なお、ビーコン生成部１１８、送信態様判別部１１９の判別機能、情報種別判別部１２０の判別機能は、ＲＯＭ１１２に記憶されているソフトウエアプログラムに基づいてＣＰＵ１１０がＲＡＭ１１３をワークエリアとして用いて行なうソフトウエア処理とすることができる。
【００６３】
＜パケット電話機２のステーション装置部２０のハードウエア構成＞
ステーション装置部２０の基本的なハードウエア構成は、アクセスポイント装置１０とほぼ同様の構成を有する。図３に、ステーション装置部２０の構成例のブロック図を示す。
【００６４】
すなわち、ステーション装置部２０は、例えばマイクロコンピュータを備えて構成される制御部２０１と、端末インターフェース２０２と、送信用処理回路２０３と、受信用処理回路２０４と、送信アンプ２０５と、受信アンプ２０６と、アンテナ切換回路２０７と、送受信アンテナ２０８および２０９とを備えている。
【００６５】
端末インターフェース２０２は、この例では、電話機部３０に接続されている。送受信アンテナ２０８および２０９は、無線ＬＡＮ３を通じてのパケットの送受を行なうためのものである。
【００６６】
ステーション装置部２０は、端末インターフェース２０２を通じて、電話機部３０からの呼設定メッセージのパケットや通話音声情報のパケットを、送受信アンテナ２０８または２０９を通じてアクセスポイント装置１０に送信する。また、アクセスポイント装置１０からの受信パケットを、端末インターフェース２０２を通じて電話機部３０に送る。
【００６７】
そして、制御部２０１は、この実施形態では、図３に示すようなブロック構成とされる。すなわち、ＣＰＵ２１０に対して、システムバス２１１を介して、ＲＯＭ２１２と、ＲＡＭ２１３と、パケット分解／生成部２１４と、受信バッファ２１５と、送信バッファ２１６と、間欠受信管理部２１７とが接続されている。
【００６８】
パケット分解／生成部２１４は、無線ＬＡＮ３を通じて取り込んだパケット化データを分解して、自分宛ての制御データや音声データを得る機能と、端末インターフェース２０２からの送信する制御データや音声データをパケット化して送出するパケット化データを生成する機能を有する。
【００６９】
受信バッファ２１５は、端末インターフェース２０２を通じて受け取ったパケットデータや、無線ＬＡＮ３から受け取ったパケットデータを一時格納するためのものである。
【００７０】
送信バッファ２１６は、送信しようとするパケットデータを一時格納しておくためのもので、送信情報のパケットを順次に待ち行列として蓄積してゆく送信キューを備える。
【００７１】
また、間欠受信管理部２１７は、当該パケット電話機２が通信を行なっていないときに、一定周期で、間欠受信状態を実行すると共に、間欠受信状態と間欠受信状態との間は、スタンバイ状態となって、バッテリー４０の電力消費を抑えるようにする。スタンバイ状態では、次の間欠受信状態に復帰するため、また、電話機部３０におけるユーザの発呼操作に応じて、パケット電話機２が立ち上がってアクティブ状態になるのに必要な部位にのみ、バッテリーから電源電圧が供給されており、非常に小さい消費電流とされている。
【００７２】
間欠受信管理部２１７は、ステーション装置部２０についての電源系を制御するだけでなく、電話機部３０の後述するＣＰＵ３１０を介在して、電話機部３０の電源系をも制御することができるようにしている。すなわち、パケット電話機２をスタンバイ状態にするときには、その旨を端末インターフェース２０２を通じて電話機部３０に通知すると共に、アクティブ状態に立ち上がるときには、その旨を端末インターフェース２０２を通じて通知するようにする。電話機部３０のＣＰＵ３１０は、これらの通知に応じて、電話機部３０の電源系を制御して、省電力を実現する。
【００７３】
間欠受信を実行する周期は、目的とする省電力量に応じたものとされるが、無線ＬＡＮの場合には、例えば、アクセスポイント装置１０から発生するビーコンの発生周期の２倍以上とされる。例えば、ビーコンの発生周期の４倍（この例では４００ミリ秒）とされている。パケット電話機２がスタンバイ状態から間欠受信状態になったときに、アクセスポイント装置１０からのビーコンを少なくとも一回は、受信することができるようにする必要があるため、ビーコン周期と同じ周期では省電力化することができないからである。
【００７４】
間欠受信において、アクセスポイント装置１０からのビーコンを受信したときに、当該ビーコンに自装置宛の未送信パケットがあることを示す通知が重畳されていることを認識したときには、ステーション装置部２０の間欠受信管理部２１７は、自パケット電話機２をスタンバイ状態からアクティブ状態に立ち上げ、自パケット電話機２が立ち上がったことを、アクセスポイント装置１０に通知するようにする。
【００７５】
アクセスポイント装置１０は、パケット電話機２についての立ち上がりの通知を受けると、当該立ち上がったパケット電話機宛ての未送信のパケットをユニキャスト送信するようにする。これに対して、パケット電話機２のステーション装置部２０は、受信確認情報をアクセスポイント装置１０に返し、受信確認をアクセスポイント装置１０に知らせる。その後は、パケット電話機２では、やり取りした未送信パケットの内容に応じた処理がなされることになる。
【００７６】
＜パケット電話機２の電話機部３０のハードウエア構成例＞
図４に、この実施形態のパケット電話機２の電話機部３０の内部ハードウエア構成例を示す。また、図５に、この実施形態のパケット電話機２の概観構成例を示す。
【００７７】
図４に示すように、電話機部３０は、コンピュータを備えて構成されており、ＣＰＵ３１０に対して、システムバス３１１を介して、ＲＯＭ３１２と、ＲＡＭ３１３と、ディスプレイコントローラ３１４と、操作入力インターフェース３１６と、ステーションインターフェース３１８と、パケット分解／生成部３１９と、音声データ入出力インターフェース３２０と、回線状態記憶保持部３２５とが接続されている。
【００７８】
ディスプレイコントローラ３１４には、この例ではＬＣＤ（Ｌｉｑｕｉｄ  Ｃｒｙｓｔａｌ  Ｄｉｓｐｌａｙ；液晶ディスプレイ）３１５が接続されており、このＬＣＤ３１５の表示画面３１５Ｄには、後述するように、ＣＰＵ３１０の制御にしたがった表示が行われる。
【００７９】
図５に示すように、この実施形態のパケット電話機２は、ＬＥＤを内蔵する自照式のボタンは設けられず、ＬＣＤ３１５の表示画面３１５Ｄに、主装置部１に収容されている複数の電話用回線を示すシンボルとして、この例では数字番号（回線番号となる）が表示される。この表示に関しては、後で詳述する。
【００８０】
また、操作入力インターフェース３１６には、操作入力部３１７が接続されている。この操作入力部３１７は、図５に示すように、テンキー５１と、上キー５２、下キー５３、左キー５４、右キー５５および決定キー５６からなるカーソルキーや、オフフックキー５７、オンフックキー５８などの操作キーを含む。
【００８１】
ＣＰＵ３１０は、操作入力インターフェース３１６を介して操作入力部３１７を通じて使用者がいずれの操作キーを操作したかを認識し、その認識結果に基づいて、キー入力操作に応じた処理をＲＯＭ３１２のプログラムに従って実行する。
【００８２】
ＲＯＭ３１２には、主装置部１から受信した回線状態の情報に応じたＬＥＤ６３やＬＣＤ３１５の表示画面３１５Ｄの表示制御のプログラム、無線ＬＡＮ３を通じた発信時や着信時の処理シーケンスを実行するプログラム、その他の処理を実行するためのプログラムなどが記憶されている。ＲＡＭ３１３は、主としてＲＯＭ３１２のプログラムがＣＰＵ３１０によって実行される際にワークエリアとして使用される。
【００８３】
ステーションインターフェース３１８は、ステーション装置部２０に接続され、当該ステーション装置部２０を通じて送られてくるパケット化データを取り込み、また、ステーション装置部２０にパケット化データを送出するための機能を備える。
【００８４】
パケット分解／生成部３１９は、インターフェース３１８により取り込んだパケット化データを分解して、回線状態の情報、制御データや音声データを得る機能と、送信する制御データや音声データをパケット化して送出するパケット化データを生成する機能を有する。このパケット分解／生成部３１９は、パケット化データを分解したり、生成したりするためのバッファメモリを備える。
【００８５】
なお、このパケット分解／生成部３１９のパケット分解処理機能や生成処理機能は、ＣＰＵ３１０と、ＲＯＭ３１２とにより、ソフトウエアとして実現することもできる。
【００８６】
音声データ入出力インターフェース３２０は、パケット分解されて得られた音声データをアナログ音声信号に変換して、アンプ３２１を通じて受話器を構成するスピーカ３２２に供給するようにする。また、送話器としてのマイクロホン３２３からの送話音声信号がアンプ３２４を通じてこの音声データ入出力インターフェース３２０に供給される。音声データ入出力インターフェース３２０は、この送話音声信号をデジタル音声信号に変換し、システムバス３１１を通じてパケット生成のためにパケット分解／生成部３１９に供給するようにする。
【００８７】
なお、図５において、６１は、スピーカ３２２からの音声を放音するための孔部であり、また、６２は、マイクロホン３２３が音声を収音するための孔部である。
【００８８】
回線状態記憶保持部３２５は、主装置部１に収容されている複数の電話用回線を示すシンボルとしての数字番号のそれぞれに対応して、その電話用回線の回線状態を記憶保持する。この回線状態記憶保持部３２５は、ＲＡＭ３１３の一部としても良い。
【００８９】
［パケット電話機２の回線状態等の表示］
前述したように、この実施形態では、ＬＥＤを内蔵するフレキシブルキーは全く設けられず、ＬＣＤ３１５の画面３１５Ｄに、複数個のフレキシブルキーに対応するシンボルとして、この例では、それぞれ２桁からなる数字番号（以下、フレキシブルキー表示という）が表示されている。図５の例では、「０１」〜「２４」の合計２４個のフレキシブルキー表示が、ＬＣＤ３１５の画面３１５Ｄに表示されるようにされている。
【００９０】
なお、図のフレキシブルキー表示は一例であり、これに限られるものではないことは言うまでもない。また、表示画面３１５Ｄに一度にすべてのフレキシブルキー表示を表示するようにする必要はなく、上下キーや左右キーにより、スクロールさせることにより、より多くのフレキシブルキー表示を設けることも勿論できる。
【００９１】
そして、この実施形態のパケット電話機２では、例えば上キー５２はメニュー表示キーを兼用するようにされており、この上キー５２を操作することにより、表示画面３１５Ｄに表示されたメニューを見ながら、ユーザは、上キー５２、下キー５３、左キー５４、右キー５５などのカーソルキーや、テンキー５１の一部などを操作することにより、これらの数字番号で示される各フレキシブルキー表示に対して、予め電話用回線や、各種機能を設定しておくことができるようにされている。
【００９２】
例えば、この例では、主装置部１で１０回線が収容可能とされており、「０１」〜「１０」までの数字番号のフレキシブルキー表示には、それらの１０回線のそれぞれが設定されているものとする。そして、この例では、「１１」〜「２４」までの数字番号のフレキシブルキー表示に対しては、ワンタッチダイヤル、短縮、リダイヤルなどの機能を設定することができるようにされている。
【００９３】
そして、後述するように、パケット電話機２は、主装置部１から着信通知のパケットや、回線状態の通知パケットなどを受けたときに、それらをデコードして解析し、当該通知パケットに含まれる回線の識別情報により、主装置部１が収容している複数の回線のどの回線状態が変化したか、また、当該回線状態の変化を検出し、その検出結果を、回線状態記憶保持部３２５に、フレキシブルキー表示に対応させて記憶保持する。
【００９４】
当該変化を検出した回線に対応するフレキシブルキー表示については、当該変化後の回線状態に応じて予め定められた表示変化を施して、当該回線状態をユーザに報知するようにしている。
【００９５】
この例では、変化後の回線状態に応じて予め定められた表示変化としては、フレキシブルキー表示の数字番号の左横に、シンボルの付加表示をするようにする。このシンボルの付加表示としては、この例では、回線状態を示すアルファベットの頭文字の、フレキシブルキー表示に対して付加表示するようにする。
【００９６】
すなわち、後述するように、この例では、回線が使用中になると、当該回線に対応するフレキシブルキー表示の左横には、「Ｂ」の文字が付加表示され、使用終了すると、当該「Ｂ」の文字の付加表示が消える。また、回線が着信中になると、当該回線に対応するフレキシブルキー表示の左横には、「Ｒ」の文字が付加表示され、誰かが応答して使用中になると「Ｂ」の文字の付加表示に変化する。また、回線が保留中になると、「Ｈ」の文字が付加表示され、保留が解除されると、主装置部１からは使用中の回線状態が送られてくるので、当該「Ｈ」の文字の付加表示は、「Ｂ」の文字の付加表示に変化する。
【００９７】
そして、上キー５２、下キー５３、左キー５４、右キー５５および決定キー５６が、ユーザにより操作されることにより、これらフレキシブルキー表示のそれぞれを、選択することができるようにされている。
【００９８】
そして、この例では、表示画面３１５Ｄにおいて、選択中であるフレキシブルキー表示に対しては、その数字番号の下に、例えばアンダーバーによるカーソル表示７０をさせて、その数字番号のフレキシブルキー表示が選択中であることをユーザに報知するようにしている。
【００９９】
この例では、個々の数字番号のフレキシブルキー表示のみを選択するだけではなく、横方向の１行単位のフレキシブルキー表示群単位でも選択することができるようにされている。図５では、当該１行単位のフレキシブルキー表示群が選択中であることを示している。そして、この例では、上キー５２または下キー５３が操作されたときには、カーソル表示７０は、１行単位で、操作されたキーの指示方向に移動する。
【０１００】
また、この例では、左キー５４または右キー５５が操作されると、カーソル表示７０は、行単位ではなく、一つのフレキシブルキー表示の数字番号のみに対して表示されるようになって一つのフレキシブルキー表示が選択中であることがユーザに報知され、かつ、当該操作されたキーの指示方向に移動する。なお、１行単位の選択表示のときに左キー５４が押されると、当該行の左端のフレキシブルキー表示が選択される状態になり、また、１行単位の選択表示のときに右キー５５が押されると、当該行の右端のフレキシブルキー表示が選択される状態になる。
【０１０１】
そして、決定キー５６が操作されると、表示画面３１５Ｄには、選択中であるフレキシブルキー表示の回線状態の詳細を、例えば「外線使用中」、「着信中」、「保留中」、「外線空き」などの文字により表わす表示をするように制御される。
【０１０２】
このとき、１行単位のフレキシブルキー表示がカーソル表示７０により選択中であるときには、その１行のグループの複数のフレキシブルキー表示の回線状態がそれぞれ表示される。そして、その回線状態の詳細表示の中から、ユーザは、操作対象とする回線状態を、例えば上キー５２、下キー５３を操作することにより選択することができ、選択した回線状態のところで、決定キー５６を操作すると、最終的に、当該決定キー５６が操作された回線状態に対応する回線が選択される。
【０１０３】
また、１個づつのフレキシブルキー表示がカーソル表示７０により選択中であるときには、選択中の１個のフレキシブルキー表示の回線状態が表示される。そして、決定キー５６を操作すると、最終的に、当該決定キー５６が操作された回線状態に対応する回線が選択される。
【０１０４】
このとき、回線状態が着信中であれば、当該回線の選択は着信応答となる。回線状態が保留中であれば、当該回線の選択は保留解除となる。また、回線状態が他使用中であれば、選択は不可であり、この例ではユーザに警告を発するようにして、決定キー５６の操作前の状態に戻る。
【０１０５】
なお、この実施形態では、パケット電話機２は、オフフックキー５７を操作するだけの簡単な操作で、着信を取ることができる着信優先モードを備える。すなわち、この実施形態のパケット電話機２では、当該着信優先モードに設定されているときに、主装置部１から着信中の回線状態の通知情報が到来すると、カーソル表示７０は、当該着信中の回線に対応するフレキシブルキー表示の数字番号の下に移動すると共に、その左横に着信中を示す「Ｒ」を付加表示する。
【０１０６】
この状態で、ユーザがオフフックキー５７を操作すると、その操作をパケット電話機２は着信応答と判別し、その旨を主装置部１に送る。したがって、簡単な操作で着信に応答することができる。
【０１０７】
［回線状態の通知情報の授受と、表示画面の表示］
次に、主装置部１のサーバ装置１２、アクセスポイント装置１０およびパケット電話機２の電話機部２０の処理動作を、フローチャートを参照しながらさらに説明する。
【０１０８】
収容している複数の回線のいずれかの回線状態が変化したときの、主装置部１における動作について先ず説明する。図６は、このときの主装置部１のサーバ装置１２の動作を説明するためのフローチャートである。
【０１０９】
すなわち、サーバ装置１２は、前述もしたように常に複数の収容回線の回線状態を監視している（ステップＳ１）。そして、外線回線を通じた着信、パケット電話機２からの発信要求、保留要求、保留解除要求などのイベントに応じて、複数の回線のうちのいずれかに、回線状態が変化したか否か判別し（ステップＳ２）、回線状態が変化したと判別したときには、回線状態が変化した回線の識別情報と、その変化後の回線状態とを含めたマルチキャストパケットを、重要パケットとしてアクセスポイント装置１０に送る（ステップＳ３）。
【０１１０】
そして、アクセスポイント装置１０からの応答ＡＣＫの受信を確認したら（ステップＳ４）、ステップＳ１に戻って、回線状態の変化の監視状態に戻る。
【０１１１】
前述したように、この実施形態では、アクセスポイント装置１０は、着信通知を含む回線状態の変化情報などの重要情報は、サーバ装置１２からマルチキャストパケットとして受信しても、全てのパケット電話機２に対して個別のユニキャストパケットとして送るようにする。これにより、パケット電話機２が間欠受信を行なっていても、全てのパケット電話機２に、回線状態の変化情報を通知することができる。
【０１１２】
次に、この主装置部１からの回線状態の変化情報を受けるパケット電話機２の動作を、図７のフローチャートおよび図８〜図１０のＬＣＤ３１５の画面３１５Ｄの表示例を参照しながら説明する。図７のフローチャートの各ステップの処理は、パケット電話機２のＣＰＵ３１０が、ＲＯＭ３１２に記憶されているプログラムに従って、ＲＡＭ３１３をワークエリアとして用いて実行するものである。
【０１１３】
なお、主装置部１に収容されている複数の回線のすべてが使用されておらず、また、着信を発生していない状態では、パケット電話機２のＬＣＤ３１５の表示画面３１５Ｄは、図８に示すようなものとなり、この例では、少なくとも回線が設定されているフレキシブルキー表示のすべては、数字番号のみが表示され、前述した回線状態を示す付加表示は表示されていない。
【０１１４】
図７に示すように、パケット電話機２のＣＰＵ３１０は、常に、主装置部１から回線状態の変化情報を受信したかどうかを監視する（ステップＳ１１）。そして、主装置部１から回線状態の変化情報を受信したと判別したときには、ＣＰＵ３１０は、受信した回線状態の変化情報を解析し、回線の識別情報に基づいて、変化した回線を判別すると共に、その変化後の回線状態を検出し、その検出結果に基づいて、当該回線に対応するフレキシブルキー表示に対応して記憶保持している回線状態記憶保持部３２５の記憶情報を更新する（ステップＳ１２）。
【０１１５】
そして、ＣＰＵ３１０は、ステップＳ１２での検出の結果、変化後の回線状態が何であるかを判別し（ステップＳ１３）、変化後の回線状態が他使用中であると判別したときには、回線状態が変化した回線が設定されているフレキシブルキー表示である数字番号の左横に「Ｂ」を付加表示する（ステップＳ１４）。この付加表示の例は、図９においてフレキシブルキー表示「０２」について示した。
【０１１６】
また、ＣＰＵ３１０は、変化後の回線状態が他使用中であったものの使用終了であると判別したときには、回線状態が変化した回線が設定されているフレキシブルキー表示である数字番号の左横に付加表示されていた「Ｂ」を消去する（ステップＳ１５）。
【０１１７】
また、ＣＰＵ３１０は、変化後の回線状態が保留中であると判別したときには、回線状態が変化した回線が設定されているフレキシブルキー表示である数字番号の左横に「Ｈ」を付加表示する（ステップＳ１６）。この付加表示の例は、図９においてフレキシブルキー表示「１０」について示した。
【０１１８】
また、ＣＰＵ３１０は、回線状態は着信中であると判別したときには、着信優先モードが設定されているか否か判別する（ステップＳ１７）。着信優先モードは設定されていないと判別したときには、ＣＰＵ３１０は、着信中の回線が設定されている対応するフレキシブルキー表示である数字番号の左横に「Ｒ」を付加表示する（ステップＳ１７）。この付加表示の例は、図９においてフレキシブルキー表示「０１」、「０３」、「０８」について示した。
【０１１９】
また、ステップＳ１７で、着信優先モードが設定されていると判別したときには、ＣＰＵ３１０は、着信中の回線が設定されている対応するフレキシブルキー表示である数字番号のところにカーソル表示７０を移動させると共に、その数字番号の左横に「Ｒ」を付加表示する（ステップＳ１９）。このときの表示画面３１５Ｄの表示例を、図１０に示す。この図１０に示すように、このとき、表示画面３１５Ｄには、着信中の文字表示７１がさらに表示されると共に、相手の電話番号表示７２が、併せて表示される。なお、この実施形態では、表示画面３１５Ｄには、ビジネスホンシステムの複数の回線のいずれかに着信があるときには、「着信中」の文字表示７１が表示される。
【０１２０】
この状態で、ユーザが決定キー５６あるいはオフフックキー５７を操作すると、当該操作は、着信応答操作（着信を取る操作）となり、簡単に着信を取ることができる。
【０１２１】
そして、上述したステップＳ１４〜ステップＳ１８の次には、ステップＳ１１に戻り、ＣＰＵ３１０は、回線状態の変化情報の受信の監視状態に戻る。
【０１２２】
［パケット電話機２におけるユーザのキー操作に対応する表示制御等の処理］
次に、パケット電話機２において、ユーザがキー操作入力をしたときの、ＣＰＵ３１０による表示制御およびその関連制御を、図１１〜図１４のフローチャートおよび図１５〜図１８の表示例の図を参照しながら説明する。この図１１〜図１４のフローチャートの各ステップの処理は、パケット電話機２のＣＰＵ３１０が、ＲＯＭ３１２に記憶されているプログラムに従って、ＲＡＭ３１３をワークエリアとして用いて実行するものである。
【０１２３】
先ず、ＣＰＵ３１０は、上キー５２または下キー５３が操作されたか否か判別し（図１１のステップＳ２１）、上キー５２または下キー５３が操作されたと判別したときには、選択中カーソル表示７０を、上キー５２または下キー５３により指示された方向に１行移動させ、移動後の１行のすべてを選択する状態にする（ステップＳ２２）。
【０１２４】
このときの表示例を図１５に示す。これは、例えばカーソル表示７０が一番上の行にあったときに、下キー５３を操作したときの表示状態、あるいは、カーソル表示７０が３番目の行にあったときに、上キー５２を操作したときの表示状態である。この場合に、キー操作前のカーソル表示７０は、図８のように１行すべてを選択している状態であっても、また、１つのフレキシブルキー表示を選択している状態のいずれであっても同じである。
【０１２５】
この図１５の表示状態で、ＣＰＵ３１０は、決定キー５６が操作されたか否か判別し（ステップＳ２３）、操作されたと判別したときには、選択中の１行の複数個の回線群についての回線状態を詳細表示する（ステップＳ２４）。
【０１２６】
このときの表示例を図１６に示す。この例では、選択中の１行のフレキシブルキー表示である数字番号が縦に表示されると共に、それぞれの数字番号の横に、「外線空き」、「外線着信中」、「外線保留中」など、回線状態が文字により詳細に説明表示される。そして、この図１６の表示例に示すように、カーソル表示７０は、一つのフレキシブルキー表示を選択する状態になる。
【０１２７】
この図１６の表示状態で、ＣＰＵ３１０は、上キー５２または下キー５３が操作されたか否か判別し（ステップＳ２５）、上キー５２または下キー５３が操作されたと判別したときには、選択中カーソル表示７０を、上キー５２または下キー５３により指示された方向に移動させ、移動後のフレキシブルキー表示の詳細表示を選択する状態にする（ステップＳ２６）。
【０１２８】
そして、ＣＰＵ３１０は、この状態で、決定キー５６が操作されたか否か判別し（ステップＳ２７）、決定キー５６が操作されていないと判別したときには、ステップＳ２５に戻る。なお、このステップＳ２７では、決定キー５６の代わりに、オフフックキー５７が操作されたか否か判別するようにしてもよい。
【０１２９】
また、ステップＳ２５で上キー５２または下キー５３が操作されていないと判別したときには、オンフックキー５８が操作されたか否か判別する（ステップＳ２８）。このオンフックキー５８の操作は、この例では、戻るキー操作とされており、このオンフックキー５８が操作されたと判別したときには、ＣＰＵ３１０は、図１５に示したような１行すべてをカーソル表示７０が選択する状態の表示画面に戻す（ステップＳ２９）。そして、ステップＳ２１に戻る。また、ステップＳ２８でオンフックキー５８が操作されていないと判別したときには、ＣＰＵ３１０は、ステップＳ２７に進み、決定キー５６が操作されたか否か判別する。
【０１３０】
そして、このステップＳ２７で、決定キー５６が操作されたと判別したときには、ＣＰＵ３１０は、選択決定されたフレキシブルキー表示に対応する回線の回線状態は、使用中であるか否か判別する（ステップＳ３０）。このステップＳ３０で、使用中であると判別したときには、ＣＰＵ３１０は、例えば警告音を発生させるなどして、ユーザに警告を報知し（ステップＳ３１）、その後、ステップＳ２４に戻って、図１６の表示状態にする。
【０１３１】
また、ステップＳ３０で、選択決定されたフレキシブルキー表示に対応する回線の回線状態は、使用中ではないと判別したときには、ＣＰＵ３１０は、回線の状態は、保留中であるか否か判別し（図１２のステップＳ４１）、保留中であると判別したときには、保留の解除処理をして、通話状態への移行処理をする（ステップＳ４２）。すなわち、パケット電話機２からは、当該回線の識別情報を含む保留解除要求のパケットが主装置部１に送られる。主装置部１のサーバ装置２は、回線の識別情報で示される回線について、この保留解除要求に応じた処理を行うと共に、すべてのパケット電話機２に対して、当該回線が使用中となったことを通知するパケットを送出するようにする。このステップＳ４２での処理の結果、表示画面３１５Ｄの表示状態は、通話時の状態になる。
【０１３２】
以上のように、そして、このステップＳ４２での処理における当該パケット電話機２と主装置部１との情報のやり取りにより、主装置部１は、保留解除された回線が使用中になったことを、全てのパケット電話機２に通知するようにする。このため、この保留解除された回線に対応するフレキシブルキー表示は、保留中の「Ｈ」の付加表示から使用中の「Ｂ」の付加表示に変わる。
【０１３３】
そして、次にＣＰＵ３１０は、通話が終話したか否か判別し（ステップＳ４５）、終話したと判別したときには、当該終話した回線の識別情報を含む終話通知を主装置部１に送って終話処理をし（ステップＳ４６）、表示画面３１５Ｄの表示画面を、複数個のフレキシブルキー表示をする通常画面表示に戻す（ステップＳ４７）。
【０１３４】
ステップＳ４１で、選択決定されたフレキシブルキー表示に対応する回線の回線状態は、保留中ではないと判別したときには、ＣＰＵ３１０は、回線状態は、着信中であるか否か判別する（ステップＳ４３）。そして、着信中であると判別したときには、ＣＰＵ３１０は、着信応答の処理し、また、通話状態への移行処理をする（ステップＳ４４）。そして、ステップＳ４５以降に進む。
【０１３５】
このステップＳ４４での処理の結果、表示画面３１５Ｄの表示状態は、通話時の状態になる。そして、このステップＳ４４での処理における当該パケット電話機２と主装置部１との情報のやり取りにより、主装置部１は、着信中の回線が使用中になったことを、全てのパケット電話機２に通知するようにする。このため、この着信中の表示がされていた回線に対応するフレキシブルキー表示は、着信中の「Ｒ」の付加表示から使用中の「Ｂ」の付加表示に変わる。
【０１３６】
また、ステップＳ４３で、選択決定されたフレキシブルキー表示に対応する回線の回線状態は、着信中ではないと判別したときには、ＣＰＵ３１０は、回線状態は外線空きの状態であるか否か判別する（ステップＳ４８）。そして、回線状態は、外線空きの状態ではないと判別したときには、ＣＰＵ３１０は、選択決定されたフレキシブルキー表示に対して設定されている各種機能に応じたその他の処理を行なう（ステップＳ４９）。なお、選択決定されたフレキシブルキー表示に対して何も設定されていないときには、例えば警告音を発して、そのことをユーザに報知するようにする。
【０１３７】
また、ステップＳ４８で、選択決定されたフレキシブルキー表示に対応する回線の回線状態は外線空き状態であると判別したときには、ＣＰＵ３１０は、外線発信操作のための操作であるオフフックキー５７が操作されたか否か判別し（ステップＳ５０）、オフフックキー５７が操作されたと判別したときには、当該回線の識別情報を含む当該回線の捕捉要求を主装置部１に送り、その要求に対して捕捉完了通知を受け取ると、ダイヤル処理をして、外線発信処理を行ない（ステップＳ５１）、続いて外線通話の処理を行なう（ステップＳ５２）。そして、ステップＳ４５以降の処理に進む。
【０１３８】
ステップＳ５０で、オフフックキー５７が操作されないと判別したときには、ＣＰＵ３１０は、オンフックキー５８が操作されたか否か判別し（ステップＳ５３）、オンフックキー５８が操作されたと判別したときには、戻る操作と判別して、図１５に示したような１行すべてをカーソル表示７０が選択する状態の表示画面に戻す（ステップＳ５４）。そして、ステップＳ２１に戻る。また、ステップＳ５３でオンフックキー５８が操作されていないと判別したときには、ＣＰＵ３１０は、ステップＳ５０に戻り、オフフックキー５７が操作されたか否かの判別監視に戻る。
【０１３９】
図１１のステップＳ２１で上キー５２または下キー５３は操作されていないと判別したとき、また、ステップＳ２３で決定キー５６は操作されていないと判別したときには、ＣＰＵ３１０は、左キー５４または右キー５５が操作されたか否か判別する（図１３のステップＳ６１）。
【０１４０】
そして、ＣＰＵ３１０は、左キー５４または右キー５５が操作されたと判別したときには、選択中カーソル表示７０が１行選択していたときには、その１行選択状態から、１つずつのフレキシブルキー表示を選択する状態にすると共に、指示された方向にカーソル表示７０の位置を移動させる。また、選択中カーソル表示７０が、１つずつのフレキシブルキー表示を選択する状態になっているときには、指示された方向にカーソル表示７０の位置を移動させる（ステップＳ６２）。
【０１４１】
このときの表示例を図１７に示す。上述もしたように、１行単位の選択表示のときに左キー５４が押されると、当該行の左端のフレキシブルキー表示が選択される状態になり（図１７の表示例はその状態）、また、１行単位の選択表示のときに右キー５５が押されると、当該行の右端のフレキシブルキー表示が選択される状態になる。
【０１４２】
この図１７の表示状態で、ＣＰＵ３１０は、決定キー５６が操作されたか否か判別し（ステップＳ６３）、決定キー５６が操作されていないと判別したときには、オンフックキー５８が操作されたか否か判別し（ステップＳ６４）、オンフックキー５８も操作されていないと判別したときには、ステップＳ６１に戻る。ステップＳ６４でオンフックキー５８が操作されたと判別したときには、戻る操作と判別して、図１５に示したような１行すべてをカーソル表示７０が選択する状態の表示画面に戻す（ステップＳ７０）。そして、ステップＳ２１に戻る。
【０１４３】
また、ステップＳ６３で、決定キー５６が操作されたと判別したときには、ＣＰＵ３１０は、選択決定されたフレキシブルキー表示に対応する回線の回線状態を、回線状態記憶保持部３２５が記憶保持している回線状態の情報に基づいて詳細表示する（ステップＳ６５）。
【０１４４】
このときの表示画面３１５Ｄの表示例を図１８に示す。この図１８の例は、数字番号「０７」のフレキシブルキー表示がカーソル表示７０により選択されているときに決定キー５６が操作されたときの表示例を示している。
【０１４５】
次に、ＣＰＵ３１０は、さらに決定キー５６が操作されたか否か判別し（ステップＳ６６）、決定キー５６が操作されていないと判別したときには、オンフックキー５８が操作されたか否か判別し（ステップＳ６７）、オンフックキー５８も操作されていないと判別したときには、ステップＳ６６に戻る。ステップＳ６７でオンフックキー５８が操作されたと判別したときには、戻る操作と判別して、図１５に示したような１行すべてをカーソル表示７０が選択する状態の表示画面に戻す（ステップＳ７０）。そして、ステップＳ２１に戻る。
【０１４６】
また、ステップＳ６６で、決定キー５６が操作されたと判別したときには、ＣＰＵ３１０は、選択決定されたフレキシブルキー表示に対応する回線の回線状態は、外線使用中であるか否か判別する（ステップＳ６８）。このステップＳ６８で、外線使用中であると判別したときには、ＣＰＵ３１０は、例えば警告音を発生させるなどして、ユーザに警告を報知し（ステップＳ６９）、その後、ステップＳ６３に戻って、例えば図１７の表示状態にする。
【０１４７】
また、ステップＳ３０で、選択決定されたフレキシブルキー表示に対応する回線の回線状態は、使用中ではないと判別したときには、ＣＰＵ３１０は、図１２のステップＳ４１に進み、前述したこのステップＳ４１以降の処理を行なう。
【０１４８】
なお、図１３のルーチンにおいて、ステップＳ２７では、決定キー５６の代わりに、オフフックキー５７が操作されたか否か判別するようにしてもよい。また、ステップＳ６５の詳細表示は、選択決定された回線の回線状態を、ユーザに確認してもらう意味でなされる。したがって、場合によっては、ステップＳ６５およびステップＳ６６の判別ステップを省略しても良い。
【０１４９】
そして、ステップＳ６１で左キー５４または右キー５５は操作されていないと判別したときには、ＣＰＵ３１０は、決定キー５６が操作されたか否か判別し（図１４のステップＳ８１）、決定キー５６も操作されていないと判別したときには、図１１のステップＳ２１に戻る。
【０１５０】
また、ステップＳ８１で決定キー５６が操作されたと判別したときには、ＣＰＵ３１０は、着信優先モードが設定されているか否か判別し（ステップＳ８２）、着信優先モードは設定されてはいないと判別したときには、カーソル表示７０は、フレキシブルキー表示の１行選択の状態か、あるいは１個ずつの選択の状態であるか判別する（ステップＳ８３）。
【０１５１】
このステップＳ８３で、カーソル表示７０は、フレキシブルキー表示の１行選択の状態であると判別したときには、ＣＰＵ３１０は、図１１のステップＳ２４に進み、このステップＳ２４以降の処理を実行する。また、カーソル表示７０は、フレキシブルキー表示の１個ずつの選択の状態であると判別したときには、ＣＰＵ３１０は、図１３のステップＳ６５に進み、このステップＳ６５以降の処理を実行する。
【０１５２】
また、ステップＳ８２で着信優先モードが設定されていると判別したときには、ＣＰＵ３１０は、カーソル表示７０が位置して選択中のフレキシブルキー表示に対応する回線の回線状態は着信中であるか否か判別し（ステップＳ８４）、そうでなければ、ステップＳ８３に進み、このステップＳ８３以降の処理を行なう。
【０１５３】
また、ステップＳ８４で、カーソル表示７０が位置して選択中のフレキシブルキー表示に対応する回線の回線状態は着信中であると判別したときには、ＣＰＵ３１０は、即座に着信応答の処理をし（ステップＳ８５）、その後、図１２のステップＳ４５に進み、当該ステップＳ４５以降の処理を行なう。
【０１５４】
以上説明したように、この実施形態では、ＬＥＤによる自照式のボタンを用いることなく、少ないボタン（キー）数で、無線ＬＡＮを利用したビジネスホンシステム用のパケット電話機を実現することができる。
【０１５５】
そして、ＬＥＤによる自照式のボタンは用いないので、電力消費を少なくして、待機時間の長い無線通信端末を構成することができる。また、この例のパケット電話機である無線通信端末では、例えばＬＣＤなどの表示画面に、フレキシブルキーに対応する表示をし、それらのフレキシブルキーに対応する表示に、回線や各種機能を対応させて設定するようにしたので、狭いスペースにボタンを設ける必要がなく、多数の回線および機能に対応することができる。
【０１５６】
［他の実施形態および変形例］
上述の実施の形態では、複数の通信用回線のそれぞれに対応するシンボルとして、数字番号を用いるようにしたが、前記シンボルとしては、数字番号に限られるものではなく、Ａ，Ｂ，Ｃ・・・などの他の文字や、記号でもよい。また、キーボタンの図形をアイコン状に表示するようにしてもよい。
【０１５７】
また、回線状態の変化に応じて、各回線に対応するシンボルに対する付加表示のシンボルも、上述の例のようなアルファベット文字ではなく、回線状態に対応させた記号や図形であってもよい。また、前述もしたように、各回線に対応するシンボルに対する、当該回線の状態に応じて施す表示は、実施形態のようなシンボルの付加表示ではなく、各回線に対応するシンボルの点滅や色の変化などの表示態様の変化を用いることもできる。
【０１５８】
また、回線状態の詳細表示は、上述の実施形態では、説明文字表示であったが、この説明文字に代えて、あるいはこの説明文字に加えて、回線状態に応じた記号や図形を表示するようにしてもよい。
【０１５９】
また、上述の実施の形態では、通常の状態でもカーソル表示７０を表示画面３１５Ｄに表示するようにしたが、待ち受け状態など、使用状態ではない初期画面では、選択中を示すカーソルは表示せず、ユーザが手にとって使用状態にしたときに、カーソル表示をするようにしても良い。
【０１６０】
また、上述の実施形態では、オンフックキー（戻るキーでもよい）が操作されたときには、例えば図１５に示したような１行のフレキシブルキー表示の全部を選択する状態に戻るようにしたが、当該オンフックキーが操作されたときの状態の前の状態に戻るようにしても良い。
【０１６１】
また、上述の実施形態では、終話処理をした後には、例えば図１５に示したような１行のフレキシブルキー表示の全部を選択する状態に戻るようにしたが、終話処理前の決定キーを操作したときに選択していたフレキシブルキー表示を選択する状態に戻ってもよい。このようにした場合には、よく使う回線に対応するフレキシブルキー表示に、カーソル表示７０が位置していることが多くなり、使い勝手が良くなる。つまり、最後に使用していた回線が選択中となる、いわゆるラストメモリ機能を実現することができる。
【０１６２】
なお、変化後の回線状態に応じて予め定められた表示変化の態様としては、上述の例のフレキシブルキー表示に対するシンボルの付加表示に限らず、フレキシブルキー表示自身を、点滅させたりして、その表示態様を変化させるようにしてもよい。また、ＬＣＤ３１５としてカラーＬＣＤを用いる場合には、フレキシブルキー表示の色を、回線状態に応じて変化させるようにしてもよい。
【０１６３】
カーソル表示は、アンダーバーに限られるものではなく、フレキシブルキー表示の囲み表示や、白黒反転表示、フレキシブルキー表示の周囲領域のカラー表示など、種々の態様が採用可能である。
【０１６４】
また、以上の実施形態では、通話のみを行なう場合であったが、パケット電話機に電子メールの機能を設けて、電子メールの通信を行なうようにすることもできる。
【０１６５】
なお、表示素子としては、ＬＣＤに限らず、有機ＥＬ（Ｅｌｅｃｔｒｏｎｉｃ  Ｌｕｍｍｉｎｅｓｃｅｎｃｅ）ディスプレイ、ＦＥＤ（Ｆｉｅｌｄ  Ｅｍｍｉｓｓｉｏｎ  Ｄｉｓｐｌａｙ）など、他のフラットディスプレイパネルを用いることができることは言うまでもない。
【図面の簡単な説明】
【０１６６】
【図１】この発明による無線通信端末の実施形態を、パケット電話機として使用するビジネスホンシステムの構成例を示すブロック図である。
【図２】図１のシステムに用いられる無線ＬＡＮ用アクセスポイント装置の構成例を示すブロック図である。
【図３】図１のシステムに用いられる無線ＬＡＮ用端末がステーション装置部の構成例を示すブロック図である。
【図４】この発明による無線通信端末の実施形態としてのパケット電話機の要部の構成例を示すブロック図である。
【図５】この発明による無線通信端末の実施形態としてのパケット電話機の、概観構成例を示す図である。
【図６】図１のシステムの主装置部のサーバ装置の動作説明のためのフローチャートを示す図である。
【図７】この発明による無線通信端末の実施形態としてのパケット電話機の動作説明のためのフローチャートを示す図である。
【図８】この発明による無線通信端末の実施形態としてのパケット電話機の、表示画面における表示例を示す図である。
【図９】この発明による無線通信端末の実施形態としてのパケット電話機の、表示画面における表示例を示す図である。
【図１０】この発明による無線通信端末の実施形態としてのパケット電話機の、表示画面における表示例を示す図である。
【図１１】この発明による無線通信端末の実施形態としてのパケット電話機の動作説明のためのフローチャートの一部を示す図である。
【図１２】この発明による無線通信端末の実施形態としてのパケット電話機の動作説明のためのフローチャートの一部を示す図である。
【図１３】この発明による無線通信端末の実施形態としてのパケット電話機の動作説明のためのフローチャートの一部を示す図である。
【図１４】この発明による無線通信端末の実施形態としてのパケット電話機の動作説明のためのフローチャートの一部を示す図である。
【図１５】この発明による無線通信端末の実施形態としてのパケット電話機の、表示画面における表示例を示す図である。
【図１６】この発明による無線通信端末の実施形態としてのパケット電話機の、表示画面における表示例を示す図である。
【図１７】この発明による無線通信端末の実施形態としてのパケット電話機の、表示画面における表示例を示す図である。
【図１８】この発明による無線通信端末の実施形態としてのパケット電話機の、表示画面における表示例を示す図である。
【符号の説明】
【０１６７】
１…主装置部、２…パケット電話機、３…無線ＬＡＮ、４…外部ネットワーク、２０…無線ＬＡＮ用端末側ステーション装置部、３０…電話機部、４０…バッテリー、３２５…回線状態記憶保持部
【図１】
2006270480.tif 000003
【図２】
2006270480.tif 000004
【図３】
2006270480.tif 000005
【図４】
2006270480.tif 000006
【図５】
2006270480.tif 000007
【図６】
2006270480.tif 000008
【図７】
2006270480.tif 000009
【図８】
2006270480.tif 000010
【図９】
2006270480.tif 000011
【図１０】
2006270480.tif 000012
【図１１】
2006270480.tif 000013
【図１２】
2006270480.tif 000014
【図１３】
2006270480.tif 000015
【図１４】
2006270480.tif 000016
【図１５】
2006270480.tif 000017
【図１６】
2006270480.tif 000018
【図１７】
2006270480.tif 000019
【図１８】
2006270480.tif 000020